(57)【要約】      （修正有）【課題】ボルダリングウォールに使用でき、又室内装飾用ウォールに利用できるようにした人工壁用パネルを提供する。【解決手段】人工壁用パネルの主体をなすボード１０と、ボード１０に穿設され、穿設された孔の背面側の周縁に雌ねじ部材の座部を収容し得る大きさ及び深さの凹部がざぐりされた挿通孔１１と、筒状軸部と座部とからなり、筒状軸部内面に雌ねじを有し、筒状軸部が挿通孔１１に挿入され、座部には爪部が一体形成されており、爪部がボード１０の凹部底面に食いこまされることによってボード１０に固定された雌ねじ部材と、雌ねじ部材にボード正面側から螺挿されて締め付けられ、被取付け部材２０、２１、２２をボードに取付ける雄ねじ部材１４と、を備える。【選択図】図１
0003220995.tif 000002
【実用新案登録請求の範囲】
【請求項１】
人工壁用パネルの主体をなすボード（１０）と、
該ボード（１０）に穿設され、穿設された孔の背面側の周縁に雌ねじ部材（１２）の座部（１２Ｂ）を収容し得る大きさ及び深さの凹部（１１Ａ）がざぐりされた挿通孔（１１）と、
筒状軸部（１２Ａ）と座部（１２Ｂ）とからなり、上記筒状軸部（１２Ａ）内面に雌ねじを有し、上記筒状軸部（１２Ａ）が上記挿通孔（１１）に挿入され、上記座部（１２Ｂ）には爪部（１２Ｃ）が一体形成されており、該爪部（１２Ｃ）が上記ボード（１０）の凹部（１１Ａ）底面に食いこまされることによって上記ボード（１０）に固定された雌ねじ部材（１２）と、
該雌ねじ部材（１２）に上記ボード（１０）正面側から螺挿されて締め付けられ、被取付け部材（２０、２１、２２）を上記ボード（１０）に取付ける雄ねじ部材（１４）と、を備えたことを特徴とする人工壁用パネル。
【請求項２】
上記被取付け部材がボルダング用のホールド（２０）である請求項１記載の人工壁用パネル。
【請求項３】
上記被取付け部材が室内装飾用の棚（２１）及びフック（２２）である請求項１記載の人工壁用パネル。
【考案の詳細な説明】
【技術分野】
【０００１】
本考案は人工壁用パネルに関し、特にボルダリングウォールに使用でき、又室内装飾用ウォールに利用できるようにした人工壁用パネルに関する。
【背景技術】
【０００２】
最近、手足の力だけで岩壁をよじ登るボルダリングが注目され、愛好者が増加する傾向にある。通常、ボルダリングを行う場合、ボルダリングウォールと称される人工壁を壁面に設置した施設にて行われる。かかるボルダリング用施設では競技や本格的な練習を行うことを目的とし、ボルダリングウォールをコンクリートやガラス繊維強化プラスチックで構築し、その表面に自然の岩肌を模した人工壁としている。
【０００３】
例えば、発泡スチロール製の内部壁材と強化コンクリート製の外部壁材とを一体化し、アウターホールド用アンカーを外面を被覆した状態で外部壁材に一体化し、アウターホールドをアウターホールド用アンカーに固定し、軽量化したボルダリングウォールが提案されている（特許文献１）。
【０００４】
他方、住宅や学校などの施設において簡易なボルダリングウォールを設置してボルダリングの練習や遊びが行われている。
【０００５】
簡易なボルダリングウォールを設置する場合、新築の住宅や施設においてはボルダリングウォールの設置に対応した専用構造とすることができる。しかし、既存の住宅や施設では壁面に鉄骨や木材で枠組みを増築した上にコンクリート、ＦＲＰ又は合板を用いてボルダリングウォールを設置する必要があるが、コンクリート、ＦＲＰ又は合板は重量があるので、設置や撤去が煩雑であった。
【０００６】
そこで、発泡合成樹脂製の内部壁材の表面全体に硬貨樹脂製の外部壁材を接着して一体化し、外部壁材にボルト穴を縦横に形成してホルダーを固定するようにしたボルダリングウォールを構成し、このボルダリングウォールの上端と天井との間にストッパーとアジャスタを設けて固定するようにした簡易ボルダリングウォールが提案されている（特許文献２）。
【先行技術文献】
【特許文献】
【０００７】
【特許文献１】特開２００１−３０３５９５号公報
【特許文献２】実用新案登録第３２１２０９２号公報
【考案の概要】
【考案が解決しようとする課題】
【０００８】
しかし、特許文献２記載の簡易ボルダリングウォールではボルダリングウォールと既存の壁面との間にナットをレイアウトする隙間を必要とし、ストッパーとアジャスタを用いてボルダリングウォールを固定する必要があった。
【０００９】
本考案はかかる問題点に鑑み、ストッパーとアジャスタなどの固定具を用いることなく既存の壁面に直接取付けることのできるようにした人工壁用パネルを提供することを課題とする。
【課題を解決するための手段】
【００１０】
本考案に係る人工壁用パネルは、人工壁用パネルの主体をなすボードと、該ボードに穿設され、穿設された孔の背面側の周縁に雌ねじ部材の座を収容し得る大きさ及び深さの凹部がざぐりされた挿通孔と、筒状軸部と座部とからなり、上記筒状軸部内面に雌ねじを有し、上記筒状軸部が上記挿通孔に挿入され、上記座部には爪部が一体形成されており、該爪部が上記ボードの凹部底面に食いこまされることによって上記ボードに固定された雌ねじ部材と、該雌ねじ部材に上記ボード正面側から螺挿されて締め付けられ、被取付け部材を上記ボードに取付ける雄ねじ部材と、を備えたことを特徴とする。
【００１１】
本考案の特徴の１つはボードの挿通孔背面に凹部をざぐり形成し、雄ねじ部材と締結される雌ねじ部材の座部を収容するようにした点にある。
【００１２】
これにより、人工壁用パネルの背面に雌ねじ部材のレイアウトスペースを設ける必要がなく、特許文献２記載の簡易ボルダリングウォールのようなストッパーとアジャスタなどの固定具を用いることなく、人工壁ル用パネルを壁面に直接取付ける、例えば貼付けることができる。
【００１３】
ここで、被取付け部材はボルダリングに用いる場合には手足の支えとなるホールドに適用できる。また、本考案に係る人工壁用パネルではボードに穿設された挿通孔を利用して室内装飾品、棚、フックなどのアクセサリーパーツを取り付けることができる。
【図面の簡単な説明】
【００１４】
【図１】本考案に係るウォール用パネルの好ましい実施形態を示す図である。
【図２】上記実施形態における座付きナットと挿通孔を示す図である。
【図３】上記実施形態における座付きナットを挿通孔に取付けた状態を示す斜視図である。
【考案を実施するための形態】
【００１５】
以下、本考案を図面に示す具体例に基づいて詳細に説明する。図１ないし図３は本考案に係る人工壁用パネルの好ましい実施形態を示す。図において、木製ボード１０は人工壁用パネルの主体をなし、室内に設置し得る高さ、例えば床から天井までの高さを有するボードが用いられる。
【００１６】
この木製ボード１０には縦横に所定の間隔をあけて挿通孔１１が穿設され、挿通孔１１の背面側には雌ねじ部材１２の座部１２Ａが収容され得る大きさ及び深さの凹部１１Ａが形成れている。
【００１７】
挿通孔１１には背面側から雌ねじ部材１２が挿入されている。この雌ねじ部材１２は筒状軸部１２Ａは筒状軸部１２Ａの後端に形成された座部１２Ｂとから構成され、座部１２Ｂには爪部１２Ｃが前方に突出して形成されている。
【００１８】
雌ねじ部材１２の筒状軸部１２Ａは木製ボード１０の挿通孔１１に背面側から挿入され、雌ねじ部材１２の座部１２Ｂは挿通孔１１の凹部１１Ａに収容され、雌ねじ部材１２の爪部１２Ｃは打撃などによって凹部１１Ａの底面に打ち込まれて食い込まされ、これによって雌ねじ部材１２は木製ボード１０に固定されている。
【００１９】
また、木製ボード１０の表面側には被取付け部材、例えばボルダリングの手足の支えとなるホールド２０が、室内装飾の場合には棚２１やフック２２が取付けられる。このホールド２０、棚２１やフック２２には挿通孔が形成され、挿通孔には雄ねじ部材１４が差し込まれ、雄ねじ部材１４は雌ねじ部材１２の雌ねじに螺合されて締付けられ、これによってホールド２０、棚２１やフック２２が木製ボード１０に強固に固定されている。
【００２０】
以上のように、木製ボード１０の挿通孔１１背面に凹部１１Ａをざぐり形成し、雄ねじ部材１４と締結される雌ねじ部材１２の座部１２Ｂを収容するようにしたので、人工壁用パネルの背面に雌ねじ部材１２のレイアウトスペースを設ける必要がなく、特許文献２記載の簡易ボルダリングウォールにようなストッパーとアジャスタなどの固定具を用いることなく、人工壁用パネルを壁面に直接取付けることができる。
【００２１】
また、雌ねじ部材１２の座部１２Ｂに形成した爪部１２Ｃを木製ボード１０の凹部１１Ａ底面に打ち込むようにしたので、雌ねじ部材１２を木製ボード１０の挿通孔１１に強固に固定でき、被取付け部材を木製ボード１０に安定に固定でき、ボルダリングを行う場合の大きな荷重にも耐えることができる。
【符号の説明】
【００２２】
１０    木製ボード
１１    挿通孔
１１Ａ    凹部
１２    雌ねじ部材
１２Ａ    筒状軸部
１２Ｂ    座部
１２Ｃ    爪部
１４      雄ねじ部材
２０      ホールド
２１      棚
２２      フック
【図１】
0003220995.tif 000003
【図２】
0003220995.tif 000004
【図３】
0003220995.tif 000005